(57)【特許請求の範囲】
【請求項１】
円板状の基板と、洗浄面を洗浄する洗浄部とを有し、
前記基板の中央に、前記基板と同心円となる円孔が開設されている一方、前記基板の表面の外周縁部に、前記洗浄部が設けられており、
回転式洗浄機に装着され、前記基板の中心を軸として回転しながら前記洗浄面を洗浄する回転式洗浄機用洗浄具であって、
半径が、前記円孔の半径よりも大きく、且つ、前記基板の中心から前記洗浄部までの長さよりは小さい円板状に成形された金属製の本体と、
前記本体の表面から突設され、平面視が前記本体と同心の円形に成形されており、前記円孔へ嵌め込み可能な嵌入部とを有する錘部材を設け、
前記基板の前記洗浄部が設けられている側の表面から前記嵌入部が前記円孔内へ嵌め込まれることにより、前記基板よりも下方にある前記本体の周囲にのみ前記洗浄部が位置し、且つ、前記本体の中心と前記基板の中心とが一致した状態で、前記錘部材が前記基板に固定されていることを特徴とする回転式洗浄機用洗浄具。
【発明の詳細な説明】
【技術分野】
【０００１】
本発明は、床や壁磨き等に利用される回転式洗浄機に装着される洗浄具に関するものである。
【背景技術】
【０００２】
従来より、装着されたブラシをモータにより回転させて床面を洗浄する回転式床面洗浄機（たとえば、ポリッシャー）が広く使用されている。そのような回転式床面洗浄機に装着されるブラシとして、特許文献１に開示されているようなブラシが考案されている。
【先行技術文献】
【特許文献】
【０００３】
【特許文献１】特開２００３−１３５１５２号公報
【発明の概要】
【発明が解決しようとする課題】
【０００４】
しかしながら、従来周知のブラシで床面等の洗浄面を洗浄しようとすると、ブラシを高速で回転させた際に、ブラシが洗浄面から離隔する方向へ浮き上がってしまい、洗浄面を効果的に洗浄することができないという問題がある。
【０００５】
そこで、本発明は、上記問題に鑑みなされたものであって、洗浄時における洗浄具の浮き上がりを抑制することができ、洗浄面を効果的に洗浄することができる回転式洗浄機用洗浄具を提供しようとするものである。
【課題を解決するための手段】
【０００６】
上記目的を達成するために、本発明は、円板状の基板と、洗浄面を洗浄する洗浄部とを有し、前記基板の中央に、前記基板と同心円となる円孔が開設されている一方、前記基板の表面の外周縁部に、前記洗浄部が設けられており、回転式洗浄機に装着され、前記基板の中心を軸として回転しながら前記洗浄面を洗浄する回転式洗浄機用洗浄具であって、半径が、前記円孔の半径よりも大きく、且つ、前記基板の中心から前記洗浄部までの長さよりは小さい円板状に成形された金属製の本体と、前記本体の表面から突設され、平面視が前記本体と同心の円形に成形されており、前記円孔へ嵌め込み可能な嵌入部とを有する錘部材を設け、前記基板の前記洗浄部が設けられている側の表面から前記嵌入部が前記円孔内へ嵌め込まれることにより、前記基板よりも下方にある前記本体の周囲にのみ前記洗浄部が位置し、且つ、前記本体の中心と前記基板の中心とが一致した状態で、前記錘部材が前記基板に固定されていることを特徴とする。
【発明の効果】
【０００７】
本発明によれば、基板に錘部材を固定しているため、従来のものと比較して回転式洗浄機用洗浄具の重量が増す。したがって、洗浄時に回転式洗浄機用洗浄具が浮き上がりにくく、従来よりも高い洗浄力を発揮することができる。
また、基板の洗浄部が設けられている側に本体が位置するように錘部材を取り付けているため、回転式洗浄機へ装着するに際して治具等が必要でなく、従来周知の回転式洗浄機を使用することができる。
さらに、基板に開設されている円孔を利用して錘部材を取り付けるため、従来周知の基板に対しても容易に後付けすることができ、汎用性が高い。
さらにまた、錘部材の本体は基板の中央寄りに位置しており、洗浄力の高い基板の外周縁部に洗浄部が設けられているため、錘部材を取り付けたとしても洗浄力が低下したりしないし、大型化を招くこともない。
加えて、基板の中心と錘部材の中心とが一致しており、回転式洗浄機用洗浄具の重心が自身の回転中心に位置しているため、洗浄時に回転式洗浄機用洗浄具の回転が安定する。したがって、回転式洗浄機の使い勝手が向上し、洗浄作業を容易に行うことができる。
【図面の簡単な説明】
【０００８】
【図１】ポリッシャーの外観を示した説明図である。
【図２】ブラシを下方から示した斜視説明図である。
【図３】ブラシの断面を示した説明図である。
【図４】基板を下方から示した説明図である。
【図５】錘部材を上方から示した説明図である。
【図６】錘部材を側方から示した説明図である。
【発明を実施するための形態】
【０００９】
以下、本発明の一実施形態となる回転式洗浄機用ブラシ１（以下、ブラシ１とする）について、図面にもとづき詳細に説明する。なお、本実施形態では、ブラシ１が装着される回転式洗浄機をポリッシャー２とする。
【００１０】
図１は、ポリッシャー２の外観を示した説明図である。
ポリッシャー２は、従来一般的に使用されているものであって、モータ３の下方に保護カバー４が取り付けられており、その保護カバー４内にブラシ１が装着されている。そして、モータ３を駆動させ、上下方向を軸としてブラシ１を回転させることにより、床面を洗浄するようになっている。尚、保護カバー４はブラシ１を保護する他、汚水の飛散等の役割も果たす。
【００１１】
図２は、ブラシ１を下方から示した斜視説明図である。図３は、ブラシ１の断面を示した説明図である。図４は、基板８を下方から示した説明図である。図５は、錘部材２１を上方から示した説明図である。図６は、錘部材２１を側方から示した説明図である。なお、図３ではブラシ群７を省略している。
【００１２】
ブラシ１は、基板８と、基板８の下面に植設された多数のブラシ群７、７・・からなるブラシ部と、基板８の下面に固定される錘部材２１とを備えてなる。基板８は、円板状に成形された木製の部材であって、本体の中心には、本体と同心の円孔１０が開設されている。また、本体の下面における外周縁部には、ブラシ群７を植設するための多数の植設孔９、９・・が穿設されている。この植設孔９、９・・は、本体と同心となる円周上に周設されており、径方向では３列とされている。そして、最も内側の円周上に穿設された植設孔９と円孔１０との間には、ブラシ群７が植設されないデッドスペースが形成されている。なお、デッドスペースには、後述する錘部材２１を固定するための４つの固定孔１１、１１・・が設けられている。また、各ブラシ群７は、ステンレス製のブラシ繊維を高密度に束ねたものである。さらに、各植設孔９は、底部から開放部へ向かうにつれて径方向外側へと傾斜する傾斜方向に穿設されており、プラシ群７を植設した際、ブラシ群７が径方向外側へ拡がるような姿勢をとるようにしている。
【００１３】
一方、錘部材２１は、金属製（たとえば鉄製）の部材であって、円板状の本体２３と、本体２３の上面に設けられた嵌入部２４とを有する。本体２３の半径は、円孔１０の半径よりは十分に大きく、且つ、基板８の中心から最も内側の円周上に穿設された植設孔９までの径よりは小さい値とされている。また、本体２３の厚みは、ブラシ群７の基板８表面からの突出長さよりは、十分に薄い値とされている。さらに、本体２３には、自身を基板８にネジ止めするための４つのネジ孔２２、２２・・が設けられている。一方、嵌入部２４は、上方へ突出する上面視円形の段部であって、本体２３の上面に一体成形されている。そして、本体２３と嵌入部２４とは同心円となっており、嵌入部２４の半径は、円孔１０の半径と略同じ値とされている。また、嵌入部２４の厚み（本体２３の上面からの突出高さ）は、基板８の厚みと略同じ（若しくは基板８の厚みよりも薄い）とされている。
【００１４】
そして、この錘部材２１は、基板８の下方から嵌入部２４を円孔１０内へ嵌め込み、本体２３の上面を基板８の下面（デッドスペースの表面）に当接させた状態として、ネジ孔２２、２２・・から固定孔１１、１１・・へネジをネジ込むことにより、基板８の下面側に固定される。そのため、錘部材２１が固定されたブラシ１では、基板８の下面側において、錘部材２１の本体２３の周囲をブラシ群７、７・・が取り囲んだ状態となる。ただ、本体２３は、ブラシ群７、７・・の先端よりも上方（基板８の表面側）へ凹んだ位置にある。一方、基板８の上面側では、嵌入部２４の厚みと基板８の厚みとが略同じとされているため、嵌入部２４が基板８の上面よりも上方へ突出するようなことはない。さらに、基板８の中心と錘部材２１の中心（本体２３及び嵌入部２４の中心）とが一致することから、錘部材２１が固定されたブラシ１では、ブラシ１の重心がブラシ１の回転中心に位置している。なお、基台８の上面には、図示しない円環状の取付具が設置され、その取付具を介してブラシ１はモータ３側に装着されることになる。
【００１５】
以上のような構成を有するブラシ１によれば、基板８に錘部材２１を固定しているため、従来のものと比較してブラシ１全体の重量が増す。したがって、ブラシ１を高速で回転させて洗浄する際にブラシ１が浮き上がりにくく、従来よりも高い洗浄力を発揮することができる。
また、基板８のブラシ群７、７・・が植設されている側に本体２３が位置するように錘部材２１を取り付けているとともに、嵌入部２４が基板８の上面よりも上方へ突出していないため、ブラシ１をポリッシャー２へ装着するに際して治具等が必要でなく、従来周知のポリッシャー２を使用することができる。
【００１６】
さらに、基板８に開設されている円孔１０を利用して錘部材２１を位置決めするとともに取り付けるため、従来周知の基板に対しても後付けすることができ、汎用性が高い。
さらにまた、錘部材２１の本体２３は基板８の中央寄りに位置しており、洗浄力の高い基板８の外周縁部にブラシ群７、７・・が植設されているため、錘部材２１を取り付けたとしても、ブラシ１による洗浄力が低下したりしないし、ブラシ１の大型化を招くこともない。
【００１７】
またさらに、本体２３の厚みが、ブラシ群７の基板８表面からの突出長さよりも十分に薄くなっているため、洗浄時に本体２３が床面等に干渉するようなことはない。
加えて、基板８の中心と錘部材２１の中心とが一致し、ブラシ１の重心がブラシ１の回転中心に位置しているため、洗浄時にブラシ１の回転が安定する。したがって、ポリッシャー２の使い勝手が向上し、洗浄作業を容易に行うことができる。
【００１８】
なお、本発明にかかる回転式洗浄機用洗浄具の構成は、上記した実施の形態に何ら限定されるものではなく、錘部材や基板、洗浄部等に係る構成を、本発明の趣旨を逸脱しない範囲で、必要に応じて適宜変更することができる。
【００１９】
たとえば、上記実施形態では、回転式洗浄機用洗浄具をブラシとしているが、ブラシではなく所謂パッドであっても何ら問題はない。
また、ブラシ繊維の素材は、合成樹脂であってもよいし、ステンレス以外の他の金属（たとえば真鍮）でもよく、更にはダイヤモンドが含有された繊維を採用することも可能である。
【００２０】
さらに、基板や錘部材の素材、大きさ等についても適宜設計変更可能であり、たとえば合成樹脂製の基板であっても好適に採用することができる。
さらにまた、基板の外周縁部に洗浄部を設けるにあたり、上記実施形態のように洗浄部を一連に設けるのではなく、断続的に設けるとしても何ら問題はない。
加えて、回転式洗浄機用洗浄具は、回転式洗浄機であれば、上記実施の形態のようにポリッシャーではなく、壁面を洗浄するものに装着することも当然可能である。
【符号の説明】
【００２１】
１・・ブラシ（回転式洗浄機用洗浄具）、２・・ポリッシャー（回転式洗浄機）、７・・ブラシ群（洗浄部）、８・・基板、１０・・円孔、２１・・錘部材、２３・・本体、２４・・嵌入部。
【図１】
0006439204.tif 000002
【図２】
0006439204.tif 000003
【図３】
0006439204.tif 000004
【図４】
0006439204.tif 000005
【図５】
0006439204.tif 000006
【図６】
0006439204.tif 000007